【手続補正書】
【提出日】平成18年4月24日(2006.4.24)
【手続補正１】
【補正対象書類名】明細書
【補正対象項目名】発明の名称
【補正方法】変更
【補正の内容】
【発明の名称】通信システム、通信装置、及びその制御方法、並びにコンピュータプログラム
【手続補正２】
【補正対象書類名】明細書
【補正対象項目名】特許請求の範囲
【補正方法】変更
【補正の内容】
【特許請求の範囲】
【請求項１】
送信すべき情報を記憶する第１の通信装置と、情報を受信し特定の処理を行う第２の通信装置とで構成される通信システムであって、
前記第１、第２の通信装置それぞれは、
通信チャネル確立のためのユーザ指示を判定する判定手段と、
該判定手段で通信チャネルの確立指示があったと判断した場合、特定時間範囲内で、通信を確立する処理を行う通信確立手段とを備え、
前記第１、第２の通信装置それぞれの通信確立手段で互いの通信チャネルの確立が行われた場合、前記第１の通信装置から前記第２の通信装置に情報を送信し、第２の通信装置は受信した情報に対して特定の処理を行うことを特徴とする通信システム。
【請求項２】
通信装置であって、
操作者による通信チャネル確立のための指示を判定する判定手段と、
前記判定手段による前記指示の判定に応じて、通信チャネル確立のための指示が特定時間内に行われた他の通信装置と、通信チャネルを確立する処理を行う通信確立手段と、
前記通信確立手段により通信チャネルの確立が行われた場合、前記他の通信装置と通信する通信手段と
を備えることを特徴とする通信装置。
【請求項３】
前記判定手段で通信チャネルの確立指示があったと判断した場合に、チャネル確立を要求する要求信号を送信する送信手段と、
前記送信手段により送信した要求信号に対する応答を検出すると共に、他の通信装置からのチャネル確立の要求信号を検出する検出手段と、を有し、
前記検出手段は、前記特定時間の間に行われることを特徴とする請求項２に記載の通信装置。
【請求項４】
前記通信装置は撮像装置であって、前記他の通信装置は撮像画像を印刷する装置、或いは、撮像画像を保存する保存装置であることを特徴とする請求項２に記載の通信装置。
【請求項５】
更に、通信チャネルの確立指示があったと判断した場合、通信に必要な通信機能部の電源をＯＮし、前記通信確立手段による通信確立が失敗した場合には通信機能部の電源をＯＦＦにする電源制御手段を備えることを特徴とする請求項２に記載の通信装置。
【請求項６】
通信チャネルを確立する際に、その候補となるデバイスがない、或いは、２以上存在することが検出された場合、通信確立を中止することを特徴とする請求項２に記載の通信装置。
【請求項７】
通信チャネルを確立する際に、その候補となるデバイスが１つの候補のみが存在する場合には通信確立し、複数存在する場合には操作者による選択を行わせるための一覧を表示し、選択された候補との間で通信を確立することを特徴とする請求項２に記載の通信装置。
【請求項８】
送信すべき情報を選択する選択手段と、
前記通信確立手段による通信が確立したとき、既に前記選択手段で送信すべき情報が選択されている場合には、前記通信手段は、その選択された情報の送信処理を行うことを特徴とする請求項２に記載の通信装置。
【請求項９】
前記判定手段で通信チャネルの確立指示があったと判断した場合に、複数の通信パラメータに従って、通信相手を探索する探索手段を有し、
前記通信確立手段は、前記探索手段により探索された通信相手と通信チャネルを確立することを特徴とする請求項２に記載の通信装置。
【請求項１０】
前記通信装置は、複数の通信モードによる通信が可能であり、
前記通信確立手段は、前記判定手段で通信チャネルの確立指示があったと判断した場合には、第１の通信モードにより通信チャネルを確立する処理を行うことを特徴とする請求項２に記載の通信装置。
【請求項１１】
前記指示が操作者により行われる前に、前記第１の通信モード以外の第２の通信モードに設定されていた場合には、前記第２の通信モードから前記第１の通信モードに切り替える切替手段を有し、
前記切替手段は、前記他の通信装置との通信が終了すると、前記第２の通信モードを前記第１の通信モードに切り替えることを特徴とする請求項１０に記載の通信装置。
【請求項１２】
通信装置において、
操作者により通信チャネル確立のための指示を判定する判定手段と、
前記判定手段による前記指示の判定に応じて、他の通信装置が送信した通信チャネルの確立要求信号の検出処理を特定時間行う検出手段と、
前記検出手段による検出に応じて、通信チャネルを確立する処理を行う通信確立手段を有することを特徴とする通信装置。
【請求項１３】
前記検出手段による前記確立要求信号を検出した場合に、前記確立要求信号に対する応答信号を送信する送信手段を有することを特徴とする請求項１２に記載の通信装置。
【請求項１４】
前記判定手段による前記指示の判定に応じて前記検出手段による検出処理を開始すると共に、通信チャネルの確立を要求する要求信号を送信する送信手段を有することを特徴とする請求項１２に記載の通信装置。
【請求項１５】
前記通信装置は有線通信も可能であり、
前記有線通信により通信した情報の処理中は、前記操作者による前記指示を無効とすることを特徴とする請求項１２に記載の通信装置。
【請求項１６】
前記通信装置は有線通信も可能であり、
前記有線通信により通信した情報の処理中に、前記判定手段が前記指示があったと判断した場合には、前記有線通信により通信した情報の処理を中断し、前記通信確立手段により確立した通信チャネルにより通信することを特徴とする請求項１２に記載の通信装置。
【請求項１７】
通信装置の制御方法であって、
操作者による通信チャネル確立のための指示を判定する判定工程と、
前記判定工程において前記指示があったと判断してから特定時間内に通信チャネル確立のための指示が行われた他の通信装置との間で、通信チャネルを確立する処理を行う通信確立工程と、
前記通信確立工程において通信チャネルの確立が行われた場合、前記他の通信装置と通信する通信工程と
を備えることを特徴とする通信装置の制御方法。
【請求項１８】
通信装置の制御方法において、
操作者による通信チャネル確立のための指示を判定する判定工程と、
前記判定工程において前記指示があったと判断してから特定時間の間、他の通信装置が送信した通信チャネルの確立要求信号の検出処理を行う検出工程と、
前記検出工程において前記特定時間内に前記確立要求が検出された場合に、前記他の通信装置と通信チャネルを確立する処理を行う通信確立工程を有することを特徴とする通信装置の制御方法。
【請求項１９】
相手先通信装置に情報を送信する通信装置であって、
通信チャネルの確立指示があったか否かを判定する判定手段と、
該判定手段で通信チャネルの確立指示があったと判断した場合、特定時間範囲内で、前記相手先通信装置との間での通信チャネルの確立処理を行う通信確立手段と、
前記特定時間範囲内で通信チャネルの確立が行われた場合、前記情報を前記相手先通信装置で処理させるため、送信する送信手段と
を備えることを特徴とする通信装置。
【請求項２０】
相手先通信装置から情報を受信する通信装置であって、
通信チャネルの確立指示があったか否かを判定する判定手段と、
該判定手段で通信チャネルの確立指示があったと判断した場合、特定時間範囲内で、前記相手先通信装置との間での通信チャネルの確立処理を行う通信確立手段と、
前記特定時間範囲内で通信チャネルの確立が行われた場合、前記相手先通信装置から情報を受信し特定の処理を行う処理手段と、
を備えることを特徴とする通信装置。
【請求項２１】
送信すべき情報を記憶する第１の通信装置と、情報を受信し特定の処理を行う第２の通信装置とで構成される通信システムにおける通信方法であって、
前記第１、第２の通信装置それぞれは、
通信チャネルの確立指示があったか否かを判定する判定工程と、
該判定工程において通信チャネルの確立指示があったと判断した場合、互いに共通な通信モードで通信を確立する処理を行う通信確立工程と、を有し、
前記第１、第２の通信装置それぞれの通信確立工程において互いの通信チャネルの確立が行われた場合、前記第１の通信装置から前記第２の通信装置に情報を送信し、第２の通信装置は受信した情報に対して特定の処理を行うことを特徴とする通信方法。
【請求項２２】
前記通信確立工程は、前記第1、第２の通信装置のどちらが先に通信チャネルの確立指示があったことを判断した場合であっても、通信を確立することを特徴とする請求項２１記載の通信方法。
【請求項２３】
通信装置の制御方法において、
通信チャネルの確立指示がユーザにより行われたか否かを判定する判定工程と
該判定工程で通信チャネルの確立指示があったと判断した場合、特定時間範囲内で、通信の確立する処理を行う通信確立工程とを備え、
互いに前記特定時間範囲内で通信チャネルの確立指示が行われた通信装置同士の前記通信チャネルが確立されることを特徴とする通信装置の制御方法。
【請求項２４】
相手先通信装置に情報を送信する通信装置であって、
通信の確立指示があったか否かを判定する判定手段と、
該判定手段で通信の確立指示があったと判断した場合、特定時間範囲内で、前記相手先通信装置との間での通信の確立処理を行う通信確立手段と、
前記特定時間範囲内で通信の確立が行われた場合、前記情報を前記相手先通信装置で処理させるため、送信する送信手段と
を備えることを特徴とする通信装置。
【請求項２５】
相手先通信装置から情報を受信する通信装置であって、
通信の確立指示があったか否かを判定する判定手段と、
該判定手段で通信の確立指示があったと判断した場合、特定時間範囲内で、前記相手先通信装置との間での通信の確立処理を行う通信確立手段と、
前記特定時間範囲内で通信の確立が行われた場合、前記相手先通信装置から情報を受信し特定の処理を行う処理手段と、
を備えることを特徴とする通信装置。
【請求項２６】
請求項１７、１８、又は２３のいずれか１項に記載の制御方法の各工程をコンピュータに実行させるためのコンピュータプログラム。
【手続補正３】
【補正対象書類名】明細書
【補正対象項目名】００１６
【補正方法】変更
【補正の内容】
【００１６】
【課題を解決するための手段】
かかる課題を解決するため、例えば本発明の通信システムは以下の構成を備える。すなわち、
送信すべき情報を記憶する第１の通信装置と、情報を受信し特定の処理を行う第２の通信装置とで構成される通信システムであって、
前記第１、第２の通信装置それぞれは、
通信チャネル確立のためのユーザ指示を判定する判定手段と、
該判定手段で通信チャネルの確立指示があったと判断した場合、特定時間範囲内で、通信の確立する処理を行う通信確立手段とを備え、
前記第１、第２の通信装置それぞれの通信確立手段で互いの通信チャネルの確立が行われた場合、前記第１の通信装置から前記第２の通信装置に情報を送信し、第２の通信装置は受信した情報に対して特定の処理を行うことを特徴とする。